(57)【要約】【課題】  器具の構成の簡略化、及びノイズによる不具合の抑制を可能にする防災照明器具を提供する。【解決手段】  防災照明器具１は、常用光源４１と、常用点灯回路２１と、非常用光源５１と、非常用点灯回路３２と、点検スイッチ７と、を備える。点検スイッチ７は、常用電源９から常用点灯回路２１へ至る電路を遮断する。非常用点灯回路３２は、点検スイッチ７が電路を遮断すると、非常用光源５１を点灯させる。非常用点灯回路３２、及び点検スイッチ７は、同一の基板Ｂ１に実装される。【選択図】図１
2020123562.tif 000002
【特許請求の範囲】
【請求項１】
常用光源と、
常用電源から常用電力を供給されて、前記常用光源を点灯させる常用点灯回路と、
非常用光源と、
非常用電源から非常用電力を供給され、前記常用電源の停電時に前記非常用光源を点灯させる非常用点灯回路と、
前記常用電源から前記常用点灯回路へ至る電路を遮断する点検スイッチと、を備え、
前記非常用点灯回路は、前記点検スイッチが前記電路を遮断すると、前記非常用光源を点灯させ、
前記非常用点灯回路、及び前記点検スイッチは、同一の基板に実装される
防災照明器具。
【請求項２】
前記点検スイッチは、押操作される操作部を有するスイッチである
請求項１記載の防災照明器具。
【請求項３】
前記基板が収納されるケースと、
前記ケースの内面に配置された接触部材と、をさらに有し、
前記基板は、前記基板の厚み方向に対向する表面及び裏面を有し、前記裏面が前記内面に対向するように前記ケースに収納され、
前記点検スイッチは、前記表面に実装されて、前記操作部が押操作時に移動する押方向は、前記基板の厚み方向に沿っており、
前記接触部材は、前記基板を挟んで前記点検スイッチに対向して、前記押操作時には前記基板の前記裏面に当接する
請求項２記載の防災照明器具。
【請求項４】
前記接触部材は、前記基板に生じる応力を抑制する
請求項３記載の防災照明器具。
【請求項５】
前記接触部材は、弾性を有する衝撃吸収部材である
請求項３又は４記載の防災照明器具。
【請求項６】
前記接触部材は、前記内面に形成された凸部である
請求項３又は４記載の防災照明器具。
【請求項７】
前記接触部材は、前記内面に形成されて、前記基板が載置されるリブである
請求項３又は４記載の防災照明器具。
【請求項８】
前記電路を中継する中継部が、前記基板にさらに実装され、
前記点検スイッチ及び前記中継部は、前記基板の同一の面に配置される
請求項１乃至７のいずれか一項に記載の防災照明器具。
【発明の詳細な説明】
【技術分野】
【０００１】
本開示は、一般に、防災照明器具に関する。より詳細には、本開示は、停電時に非常用光源を点灯させる防災照明器具に関する。
【背景技術】
【０００２】
従来、停電時などの非常時に点灯する非常灯などの非常用照明装置がある。
【０００３】
例えば、特許文献１の非常用照明装置は、光源を点灯させる電源回路を備える。電源回路は、基板、及び当該基板に実装された複数の電子部品を有して、充電回路、停電検出回路、点灯回路、及び点検回路などを構成する。充電回路は、外部電源により電池ユニットを充電する。停電検出回路は、外部電源の停電を検出する。点灯回路は、停電時に電池ユニットの電源で発光モジュールを点灯させる。点検回路は、電池ユニットの状態および発光モジュールの状態などを点検する。
【０００４】
さらに、基板には点検スイッチが実装されている。そして、非常用照明装置は、点検スイッチが操作されると、点検回路による点検モードを開始し、電池ユニットの寿命などの状態、発光モジュールの故障などの状態の各点検動作を行う。
【先行技術文献】
【特許文献】
【０００５】
【特許文献１】特開２０１７−２１２０７２号公報
【発明の概要】
【発明が解決しようとする課題】
【０００６】
上述の特許文献１の点検スイッチは、点検スイッチによって導通、遮断される対象が明確ではない。
【０００７】
一方、停電時に光源を点灯させる防災照明器具では、点検スイッチとして、擬似的な停電状態を生じさせるスイッチがある。擬似的な停電状態を生じさせる点検スイッチは、外部電源（常用電源）から電源回路へ至る電路を遮断する。このような防災照明器具では、電源回路と点検スイッチとを別体としており、電源回路と点検スイッチとの間に配線を引き回す必要があった。この結果、防災照明器具の構成が複雑になり、さらには配線長が長くなることによってノイズによる不具合が生じやすかった。
【０００８】
本開示の目的とするところは、器具の構成の簡略化、及びノイズによる不具合の抑制を可能にする防災照明器具を提供することにある。
【課題を解決するための手段】
【０００９】
本開示の一態様に係る防災照明器具は、常用光源と、常用点灯回路と、非常用光源と、非常用点灯回路と、点検スイッチと、を備える。前記常用点灯回路は、常用電源から常用電力を供給されて、前記常用光源を点灯させる、前記非常用点灯回路は、非常用電源から非常用電力を供給され、前記常用電源の停電時に前記非常用光源を点灯させる。前記点検スイッチは、前記常用電源から前記常用点灯回路へ至る電路を遮断する。前記非常用点灯回路は、前記点検スイッチが前記電路を遮断すると、前記非常用光源を点灯させる。前記非常用点灯回路、及び前記点検スイッチは、同一の基板に実装される。
【発明の効果】
【００１０】
以上説明したように、本開示では、器具の構成の簡略化、及びノイズによる不具合の抑制を可能にするという効果がある。
【図面の簡単な説明】
【００１１】
【図１】図１は、実施形態の防災照明器具の概略を示すブロック図である。
【図２】図２は、同上の防災照明器具点灯装置の斜視図である。
【図３】図３Ａは、同上の防災照明器具の正面半断面図である。図３Ｂは、同上の防災照明器具の右側面図である。図３Ｃは、同上の防災照明器具の下面図である。
【図４】図４は、同上の防災照明器具の要部を示す断面図である。
【図５】図５は、同上の防災照明器具の基板を示す平面図である。
【図６】図６は、同上の防災照明器具の器具本体の内部を示す平面図である。
【図７】図７は、変形例の防災照明器具の基板を示す平面図である。
【図８】図８は、同上の防災照明器具の要部を示す断面図である。
【発明を実施するための形態】
【００１２】
以下、実施形態に係る防災照明器具について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１３】
実施形態に係る防災照明器具１は、非常用照明器具（非常灯）及び階段通路誘導灯を兼用する防災照明器具である。防災照明器具１は、例えば、集合住宅の共用部の廊下及び階段の壁面に直付けされる。防災照明器具１は、常用電源（商用の電力系統など）から供給される常用電力で常用照明を行う。また、防災照明器具１は、常用電力で蓄電池を充電し、常用電源の停電時に蓄電池から供給される非常用電力で非常用照明を行う。なお、以下の防災照明器具１に関する説明においては、特に断りのない限り、図２に矢印で示す前後、上下及び左右の各方向を防災照明器具１の前後、上下及び左右の各方向と規定する。例えば、防災照明器具１の前方向とは、防災照明器具１が直付けされる壁面から垂直方向（壁面の法線方向）に沿って離れる方向である。
【００１４】
防災照明器具１は、図１に示す回路構成を備える。さらに、防災照明器具１は、図２及び図３Ａ〜図３Ｃに示すように、器具本体１０、反射板１１、及びカバー１２を筐体として備える。
【００１５】
器具本体１０は、例えば、アルミダイカストによって前面が開放された箱形に形成されている。器具本体１０の内部には、常用回路２（図１参照）、非常用回路３（図１参照）、常用光源ユニット４（図３Ａ参照）、非常用光源ユニット５（図３Ａ、図３Ｂ、図３Ｃ参照）、蓄電池６（図１参照）、及び点検スイッチ７（図１参照）などが収容されている。なお、蓄電池６が非常用電源となる。
【００１６】
常用光源ユニット４は、常用光源４１（図１参照）と、拡散板４２（図３Ａ参照）とを有する。常用光源４１は、少なくとも１つの照明用白色ＬＥＤ（Light Emitting Diode）を有する。拡散板４２は、常用光源４１を保護し、かつ、常用光源４１から放射される照明光を拡散させる。
【００１７】
反射板１１は、例えば、アルミニウム又はアルミニウム合金などの金属材料によって平板状に形成されている（図２参照）。反射板１１は、器具本体１０の前面を覆うように器具本体１０に取り付けられる。反射板１１の中央に円形の孔１１０が開口している（図２及び図３Ａ参照）。反射板１１が器具本体１０に取り付けられた状態において、反射板１１の孔１１０から常用光源ユニット４の拡散板４２が露出している。なお、反射板１１の前面は鏡面仕上げされており、常用光源ユニット４から放射される光が反射板１１の前面で反射される。
【００１８】
カバー１２は、アクリル樹脂などの透光性を有する合成樹脂によって角樋状に形成されている。カバー１２は、四角形状の前板１２０と、長方形状の左側板１２１と、長方形状の右側板１２２とを有する。左側板１２１は、前板１２０の左端から後方に突き出ている。右側板１２２は、前板１２０の右端から後方に突き出ている。前板１２０と左側板１２１と右側板１２２は、合成樹脂の成形体として一体に形成されている。左側板１２１及び右側板１２２の後端には、Ｌ字状の差込片１２３がそれぞれ後方へ突き出すように一体に形成されている（図２参照）。各差込片１２３は、器具本体１０の上方より、器具本体１０の前端部分の左右両端にそれぞれ設けられている差込溝１００に一つずつ差し込まれる（図２参照）。つまり、カバー１２は、一対の差込片１２３の各々が器具本体１０の一対の差込溝１００の各々に一つずつ差し込まれることにより、器具本体１０に対して着脱可能に取り付けられる。
【００１９】
非常用光源ユニット５は、非常用光源５１（図１参照）、レンズ５２（図３Ａ、図３Ｂ、図３Ｃ参照）、放熱板５３（図４参照）を有する。非常用光源ユニット５は、器具本体１０の底面の中央に設けられた円形の窓孔１０１からレンズ５２の一部を器具本体１０の外に突き出させた状態で器具本体１０内に収容されている（図３Ａ〜図３Ｃ参照）。
【００２０】
非常用光源５１は、ＬＥＤモジュールであり、図４に示すように、少なくとも１つのＬＥＤチップ５１ａが実装されたＬＥＤ基板５１ｂを有する。ＬＥＤチップ５１ａから放射される光は、レンズ５２を通って出射される。レンズ５２は、ガラス（例えば、石英ガラス）のような透光性を有する材料からなる凸レンズであり、略半球状に形成される。レンズ５２は、非常用光源５１が発する光の配光を調整する。放熱板５３は、例えば、アルミニウム製又はアルミニウム合金製の板材によって多角形状に形成されている。そして、放熱板５３の表面に非常用光源５１が取り付けられ、レンズ５２が非常用光源５１を覆う。
【００２１】
器具本体１０の底面の左側には、円形の窓孔１０２が設けられており、器具本体１０の底面の右側には、３つの円形の窓孔１０３、１０４、１０５が設けられている（図３Ｃ参照）。窓孔１０２からは、点検スイッチ７（図１参照）の操作部７４（図４参照）の端面が露出している。窓孔１０３からは、モニタランプ８１（図１参照）が露出している。窓孔１０４からは、受信部８２（図１参照）が露出している。窓孔１０４からは、自己点検スイッチ８３（図１参照）が露出している。
【００２２】
図１に示すように、防災照明器具１は、常用電源９から常用電力を供給される。常用電源９は、例えば公称電圧１００Ｖ又は２００Ｖ、周波数５０Ｈｚ又は６０Ｈｚの商用電源（商用の電力系統）であり、防災照明器具１へ交流電力を供給する。
【００２３】
防災照明器具１は、電源コネクタＣＮ１（中継部）を有する。電源コネクタＣＮ１は、３極のコネクタであり、第１極Ｐ１、第２極Ｐ２、及び第３極Ｐ３を具備する。そして、第１極Ｐ１と第３極Ｐ３との間に常用電源９の交流電圧が印加される。第１極Ｐ１は、点検スイッチ７に接続される。第２極Ｐ２は、点検スイッチ７及び常用回路２にそれぞれ接続される。第３極Ｐ３は、常用回路２及び非常用回路３に接続される。
【００２４】
そして、常用電源９から常用回路２及び非常用回路３へ至る電路は、点検スイッチ７によって導通、遮断される。点検スイッチ７は、可動接点７０、及び３つの固定接点７１、７２、７３を有するオルタネイト型のスイッチである。固定接点７１は、第１極Ｐ１に接続する。固定接点７２は、第２極Ｐ２に接続する。固定接点７３は、常用回路２に接続する。
【００２５】
点検スイッチ７は、可動接点７０に機械的に接続した操作部７４（図４参照）をさらに備える。操作部７４は、人による押操作が可能である。すなわち、点検スイッチ７は、押操作される操作部７４を有する押釦スイッチである。点検スイッチ７では、操作部７４が押操作される毎に、可動接点７０は、固定接点７１、７２、７３への接触と固定接点７１、７２、７３からの離間とを交互に繰り返す。可動接点７０が固定接点７１、７２、７３に接触している場合、３つの固定接点７１、７２、７３の各々は互いに電気的に導通している。可動接点７０が固定接点７１、７２、７３から離間している場合、固定接点７１、７２、７３の各間の電気的な接続は遮断されている。通常、常用電源９から常用回路２及び非常用回路３へ至る電路は導通している。点検時には、操作部７４が押操作され、常用電源９から常用回路２及び非常用回路３へ至る電路が遮断される。なお、可動接点７０が固定接点７１、７２、７３に接触している状態を、点検スイッチ７のオン状態と呼ぶ。また、可動接点７０が固定接点７１、７２、７３から離間している状態を、点検スイッチ７のオフ状態と呼ぶ。
【００２６】
常用回路２は、常用点灯回路２１を備える。常用点灯回路２１は、点検スイッチ７を介して常用電源９に接続している。したがって、常用点灯回路２１は、点検スイッチ７がオン状態であれば、常用電源９から交流電力を受け取ることができる。常用点灯回路２１は、交流電力を直流電力に変換して、常用光源４１へ常用の直流電力を供給し、常用光源４１を点灯させる。常用点灯回路２１は、整流器、トランス、スイッチング素子、コンデンサ、ダイオード、抵抗器、及び駆動回路などを備えるチョッパ回路で構成されている。チョッパ回路は、昇圧チョッパ回路、昇降圧チョッパ回路、及び降圧チョッパ回路などのいずれでもよい。
【００２７】
非常用回路３は、充放電回路３１、非常用点灯回路３２、及び点検回路３３を備える。
【００２８】
充放電回路３１は、点検スイッチ７を介して常用電源９に接続している。したがって、充放電回路３１は、点検スイッチ７がオン状態であれば、常用電源９から交流電力を受け取ることができる。また、充放電回路３１は、常用電源９から入力される交流電圧を監視し、交流電圧の値が予め決められた閾値以上であれば、常用電源９は正常であると判定する。充放電回路３１は、交流電圧の値が閾値未満であれば、常用電源９が停電したと判定する。なお、常用電源９が停電した場合、蓄電池６が非常用回路３の入力電源になる。
【００２９】
充放電回路３１は、電池コネクタＣＮ２、及び一対の配線Ｗ１を介して蓄電池６に接続している。充放電回路３１は、交流電力を直流電力に変換し、蓄電池６を充電する。さらに、充放電回路３１は、常用電源９の停電時には、蓄電池６の蓄電電力を非常用点灯回路３２へ供給して、蓄電池６を放電させる。
【００３０】
非常用点灯回路３２は、光源コネクタＣＮ３、及び一対の配線Ｗ２を介して非常用光源５１に接続している。非常用点灯回路３２は、蓄電池６の蓄電電力を直流電力に変換して、非常用光源５１へ非常用の直流電力を供給し、非常用光源５１を点灯させる。非常用点灯回路３２は、整流器、トランス、スイッチング素子、コンデンサ、ダイオード、抵抗器、及び駆動回路などを備えるチョッパ回路で構成されている。チョッパ回路は、昇圧チョッパ回路、昇降圧チョッパ回路、及び降圧チョッパ回路などのいずれでもよい。
【００３１】
すなわち、防災照明器具１は、常用電源９が正常であれば、常用光源４１を点灯させ、非常用光源５１を消灯させる。さらに、防災照明器具１は、常用電源９が停電すれば、非常用光源５１を点灯させ、常用光源４１を消灯させる。
【００３２】
上述の防災照明器具１は、非常用照明器具又は誘導灯などの防災照明器具である。非常用照明器具、及び誘導灯に対しては、法令に基づく点検が実施されなければならない。非常用照明器具の点検の時期は建築基準法に規定されており、誘導灯の点検の時期は消防法に規定されている。
【００３３】
そこで、点検者は、防災照明器具１の点検を開始する場合には、点検スイッチ７の操作部７４を押操作する。点検スイッチ７は、操作部７４を押操作によって、オン状態からオフ状態に切り換わる。この結果、常用電源９から常用点灯回路２１及び非常用回路３へ至る電路が遮断され、擬似的な停電状態になる。したがって、常用電源９が正常であっても、常用回路２及び非常用回路３には交流電力が供給されない。常用点灯回路２１は、交流電力を供給されず、常用光源４１は消灯する。充放電回路３１は、常用電源９から入力される交流電圧が閾値未満に低下するので、停電状態であると判定して、蓄電池６を放電させる。非常用点灯回路３２は、蓄電池６の蓄電電力を直流電力に変換して、非常用光源５１を点灯させる。
【００３４】
点検は、法令で定められた期間ごとに実施され、蓄電池６を規定時間（例えば２０分間、３０分間又は６０分間）以上放電させて、蓄電池６の劣化の程度を確認することを目的とする。さらに、点検は、非常用光源５１が規定の時間以上、点灯状態を維持することを確認することをさらなる目的とすることが好ましい。
【００３５】
点検者は、点検を終了する場合には、点検スイッチ７の操作部７４を再び押操作する。点検スイッチ７は、操作部７４を押操作によって、オフ状態からオン状態に切り換わる。この結果、常用電源９から常用点灯回路２１及び非常用回路３へ至る電路が導通する。したがって、常用電源９が正常であれば、常用回路２及び非常用回路３には交流電力が供給される。常用点灯回路２１は、交流電力を直流電力に変換して、常用光源４１へ常用の直流電力を供給し、常用光源４１を点灯させる。充放電回路３１は、常用電源９から入力される交流電圧が閾値以上に増加するので、正常状態であると判定して、蓄電池６を充電する。非常用点灯回路３２は、充放電回路３１から蓄電池６の蓄電電力が供給されないので、非常用光源５１へ直流電力を供給できない。すなわち、非常用光源５１は消灯する。
【００３６】
また、防災照明器具１は、点検回路３３、モニタランプ８１、受信部８２、及び自己点検スイッチ８３をさらに備えることが好ましい。
【００３７】
モニタランプ８１は、例えば、緑色光を放射する発光ダイオードで構成され、充放電回路３１から蓄電池６に供給される充電電流によって発光させられることが好ましい。
【００３８】
受信部８２は、赤外線を通信媒体とする無線信号を受信し、受信した無線信号から送信フレームを復調して点検回路３３に渡すように構成される。この無線信号は、点検を行う点検者などによって操作されるワイヤレス送信器から送信される。点検回路３３は、無線信号によって点検の開始が指示された場合、常用点灯回路２１の動作を停止させて、常用光源４１を消灯させ、かつ、充放電回路３１によって蓄電池６を放電させ、非常用点灯回路３２の動作を開始させて、非常用光源５１を点灯させる。また、点検回路３３は、無線信号によって点検の終了が指示された場合、常用点灯回路２１の動作を開始させて、常用光源４１を点灯させ、かつ、充放電回路３１によって蓄電池６を充電し、非常用点灯回路３２の動作を停止させて、非常用光源５１を消灯させる。
【００３９】
自己点検スイッチ８３は、押釦スイッチである。自己点検スイッチ８３が押操作された場合、点検回路３３は、常用光源４１を消灯させ、かつ、非常用光源５１を点灯させる動作を数秒間実行した後、再度、常用光源４１を点灯させ、かつ、非常用光源５１を消灯させる。
【００４０】
上述のように、防災照明器具１は、操作部７４の操作によって点検スイッチ７のオン状態及びオフ状態を切り換え、点検の開始及び点検の終了を実行できる。そして、本実施形態の防災照明器具１は、器具の構成の簡略化、及びノイズによる不具合の抑制を可能にするために、以下のように構成される。
【００４１】
図４及び図５に示すように、防災照明器具１では、非常用回路３、及び点検スイッチ７を１枚の基板Ｂ１に実装している。さらには、電源コネクタＣＮ１、電池コネクタＣＮ２、光源コネクタＣＮ３、モニタランプ８１、受信部８２、及び自己点検スイッチ８３も基板Ｂ１に実装されることが好ましい。図４に示すように、基板Ｂ１は、樹脂製のケース１３に収納され、ケース１３には非常用光源ユニット５が取り付けられる。
【００４２】
基板Ｂ１は、表面Ｂ１１及び裏面Ｂ１２を有する矩形板状のプリント基板である。例えば、基板Ｂ１は、ガラスエポキシ基板、セラミック基板、又は紙エポキシ基板などである。ケース１３は、矩形板形状の底壁１３１を有する。底壁１３１の内面１３１ａの周縁にはリブ１４が形成されている。基板Ｂ１の裏面Ｂ１２はリブ１４に載置されており、裏面Ｂ１２は、底壁１３１の内面１３１ａに対向する。底壁１３１の四辺からは、側壁１３２が底壁１３１に直交する方向に延設されている。さらに、ケース１３の天壁１３３が、基板Ｂ１の表面Ｂ１１の一部を覆うように側壁１３２に取り付けられている。天壁１３３の外面１３３ａには、非常用光源ユニット５が取り付けられ、放熱板５３の裏面が外面１３３ａに接する。天壁１３３には、挿通孔１３４が形成されており、基板Ｂ１に実装された点検スイッチ７の操作部７４が挿通する。
【００４３】
そして、図６に示すように、器具本体１０の下方にはケース１３が配置され、器具本体１０の上方には常用回路２（常用点灯回路２１）、常用光源ユニット４、及び蓄電池６が配置される。ケース１３は、底壁１３１が上方を向き、天壁１３３が下方を向くように、器具本体１０内に配置されている。
【００４４】
非常用回路３、点検スイッチ７、電源コネクタＣＮ１、電池コネクタＣＮ２、光源コネクタＣＮ３、モニタランプ８１、受信部８２、及び自己点検スイッチ８３は、基板Ｂ１の表面Ｂ１１に実装される。非常用回路３は、整流器、トランス、スイッチング素子、コンデンサ、ダイオード、抵抗器、及び駆動回路などの複数の電気部品３０を有する。
【００４５】
図５に示すように、基板Ｂ１は、短手方向に延びる一対の短辺Ｂ１０１、Ｂ１０２、及び長手方向に延びる一対の長辺Ｂ１０３、Ｂ１０４で囲まれている。表面Ｂ１１は、長手方向に沿って３つの領域、第１領域Ａ１、第２領域Ａ２、第３領域Ａ３に分けられる。第１領域Ａ１は、短辺Ｂ１０１側の領域である。第２領域Ａ２は、短辺Ｂ１０２側の領域である。第３領域Ａ３は、第１領域Ａ１と第２領域Ａ２とに挟まれた領域である。そして、点検スイッチ７、及び電源コネクタＣＮ１は、第１領域Ａ１において、短辺Ｂ１０１に沿って並んで配置されている。電池コネクタＣＮ２、モニタランプ８１、受信部８２、及び自己点検スイッチ８３は、第２領域Ａ２において、短辺Ｂ１０２に沿って並んで配置されている。非常用回路３、及び光源コネクタＣＮ３は、第３領域Ａ３に配置されている。光源コネクタＣＮ３は、長辺Ｂ１０３の近くに配置される。
【００４６】
すなわち、非常用回路３の非常用点灯回路３２、及び点検スイッチ７は、同一の基板Ｂ１に実装されている。非常用点灯回路３２と点検スイッチ７との間の電気的な接続は、基板Ｂ１に形成されている導体（導体の薄膜など）によって実現されている。したがって、防災照明器具１は、非常用点灯回路３２と点検スイッチ７との間に配線を引き回す照明器具に比べて、器具の構成を簡略化することができる。また、防災照明器具１は、非常用点灯回路３２と点検スイッチ７との間に配線を引き回す照明器具に比べて、非常用点灯回路３２と点検スイッチ７との間の電気経路の長さを短くすることができ、ノイズによる不具合を抑制することができる。
【００４７】
また、点検スイッチ７、及び電源コネクタＣＮ１は、第１領域Ａ１に配置されており、互いの近傍にそれぞれ配置される。この結果、点検スイッチ７と電源コネクタＣＮ１とを離して配置する照明器具に比べて、点検スイッチ７と電源コネクタＣＮ１との間の電気経路の長さを短くすることができ、ノイズによる不具合をより抑制することができる。
【００４８】
また、非常用回路３は、電気部品３０として、トランス３０ａ（図５参照）を有する。トランス３０ａは、充放電回路３１の入力側と出力側とを電気的に絶縁している。充放電回路３１の入力側には、常用電源９の交流電力が供給され、充放電回路３１の出力側から直流電力が出力される。また、基板Ｂ１の回路は、トランス３０ａの１次側の回路と２次側の回路とに分離されている。１次側の回路には、点検スイッチ７、電源コネクタＣＮ１が含まれる。２次側の回路には、電池コネクタＣＮ２、光源コネクタＣＮ３、モニタランプ８１、受信部８２、及び自己点検スイッチ８３が含まれる。この結果、１次側の回路及び２次側の回路の一方から発せられるノイズが、１次側及び２次側の他方に及ぼす影響を抑制できる。
【００４９】
また、光源コネクタＣＮ３は、基板Ｂ１の第３領域Ａ３の中央において、長辺Ｂ１０３の近くに実装されている。したがって、光源コネクタＣＮ３と非常用光源５１との間を接続する一対の配線Ｗ２の長さを短くでき、耐ノイズ性が向上する。さらに、モニタランプ８１、受信部８２、及び自己点検スイッチ８３の配置の自由度が向上する。
【００５０】
また、図１に示すように、電源コネクタＣＮ１の第１極Ｐ１と第３極Ｐ３との間に、サージアブソーバＳＡ１を接続することが好ましい。サージアブソーバＳＡ１は、第１極Ｐ１と第３極Ｐ３との間の電圧を所定電圧にクランプすることで、雷サージなどの過電圧から回路を保護（過電圧保護）することができる。本実施形態のサージアブソーバＳＡ１は、常用回路２及び非常用回路３の過電圧保護を図ることができる。
【００５１】
点検スイッチ７の操作部７４は、基板Ｂ１の厚みに沿って移動可能である。図４では、操作部７４は、基板Ｂ１の厚みに沿う押方向Ｘ１、及び復帰方向Ｘ２に移動可能である。押方向Ｘ１は、操作部７４が基板Ｂ１の表面Ｂ１１に近付く方向である。復帰方向Ｘ２は、操作部７４が基板Ｂ１の表面Ｂ１１から遠ざかる方向であり、押方向Ｘ１の逆方向である。防災照明器具１の点検を開始又は終了する場合、点検者の指が操作部７４を押方向Ｘ１へ押す（押操作）。点検者の指が操作部７４から離れると、操作部７４はばねの弾性力によって復帰方向Ｘ２へ移動して、押操作前の位置に戻る。
【００５２】
操作部７４の押操作がなされると、基板Ｂ１には厚み方向の力が加わり、基板Ｂ１が変形して、厚み方向に撓む可能性がある。そこで、ケース１３の底壁１３１の内面１３１ａに接触部材１５を設ける。接触部材１５は、基板Ｂ１の裏面と内面１３１ａとの間に位置し、基板Ｂ１を挟んで点検スイッチ７に対して厚み方向に対向する。したがって、操作部７４の押操作がなされて、基板Ｂ１に厚み方向の力が加わり、基板Ｂ１が厚み方向に撓んだ場合には、接触部材１５が基板Ｂ１の裏面Ｂ１２に当接する。したがって、基板Ｂ１の変形は抑えられ、基板Ｂ１は厚み方向に撓みにくくなる。さらに、基板Ｂ１に生じる応力が抑制され、基板Ｂ１の不具合が生じ難くなる。
【００５３】
接触部材１５は、ウレタン樹脂、又はシリコンシートなどの弾性を有する衝撃吸収部材であることが好ましい。この場合、衝撃吸収部材によって基板Ｂ１に加わる厚み方向の力が吸収され、かつ、基板Ｂ１は厚み方向に撓みにくくなる。
【００５４】
また、接触部材１５は、内面１３１ａに形成された凸部であることが好ましい。凸部は、樹脂の押出成形などによって、ケース１３の底壁１３１に一体に形成されたボスである。この場合、凸部の先端が基板Ｂ１の裏面Ｂ１２に当接することで、基板Ｂ１は厚み方向に撓みにくくなる。
【００５５】
また、接触部材１５は、内面１３１ａに形成されたリブであることが好ましい。リブは、樹脂の押出成形などによって、ケース１３の底壁１３１に一定に形成されており、基板Ｂ１を載置して、ケース１３内における基板Ｂ１の位置決めを行う。この場合、リブの先端が基板Ｂ１の裏面Ｂ１２に当接することで、基板Ｂ１は厚み方向に撓みにくくなる。
【００５６】
（変形例）
図７、及び図８は、変形例の基板Ｂ１を示す。変形例の基板Ｂ１では、光源コネクタＣＮ３が、第２領域Ａ２に実装されている。
【００５７】
点検スイッチ７、電源コネクタＣＮ１、電池コネクタＣＮ２、光源コネクタＣＮ３、モニタランプ８１、受信部８２、及び自己点検スイッチ８３などのように、高さ寸法が大きい部品及び高さ方向にスペースを要する部品は、基板Ｂ１の端部に実装されることが好ましい。本実施形態では、高さ寸法が大きい部品及び高さ方向にスペースを要する部品は、第１領域Ａ１又は第２領域Ａ２に実装されている。したがって、基板Ｂ１の実装スペースを有効に利用でき、防災照明器具１の小型化を図ることができる。また、基板Ｂ１における電気部品３０の配置の自由度も向上する。
【００５８】
以上のように、実施形態に係る第１の態様の防災照明器具（１）は、常用光源（４１）と、常用点灯回路（２１）と、非常用光源（５１）と、非常用点灯回路（３２）と、点検スイッチ（７）と、を備える。常用点灯回路（２１）は、常用電源（９）から常用電力を供給されて、常用光源（４１）を点灯させる、非常用点灯回路（３２）は、非常用電源（６）から非常用電力を供給され、常用電源（９）の停電時に非常用光源（５１）を点灯させる。点検スイッチ（７）は、常用電源（９）から常用点灯回路（２１）へ至る電路を遮断する。非常用点灯回路（３２）は、点検スイッチ（７）が電路を遮断すると、非常用光源（５１）を点灯させる。非常用点灯回路（３２）、及び点検スイッチ（７）は、同一の基板（Ｂ１）に実装される。
【００５９】
上述の防災照明器具（１）は、器具の構成の簡略化、及びノイズによる不具合の抑制を可能にする。
【００６０】
また、実施形態に係る第２の態様の防災照明器具（１）では、第１の態様において、点検スイッチ（７）は、押操作される操作部（７４）を有するスイッチであることが好ましい。
【００６１】
上述の防災照明器具（１）は、点検スイッチ（７）の操作が容易である。
【００６２】
また、実施形態に係る第３の態様の防災照明器具（１）は、第２の態様において、基板（Ｂ１）が収納されるケース（１３）と、ケース（１３）の内面（１３１ａ）に配置された接触部材（１５）と、をさらに有することが好ましい。基板（Ｂ１）は、基板（Ｂ１）の厚み方向に対向する表面（Ｂ１１）及び裏面（Ｂ１２）を有し、裏面（Ｂ１２）が内面（１３１ａ）に対向するようにケース（１３）に収納される。点検スイッチ（７）は、表面（Ｂ１１）に実装されて、操作部（７４）が押操作時に移動する押方向（Ｘ１）は、基板（Ｂ１）の厚み方向に沿っている。接触部材（１５）は、基板（Ｂ１）を挟んで点検スイッチ（７）に対向して、押操作時には基板（Ｂ１）の裏面（Ｂ１２）に当接する。
【００６３】
上述の防災照明器具（１）では、基板（Ｂ１）の変形が抑えられ、基板（Ｂ１）は厚み方向に撓みにくくなる。
【００６４】
また、実施形態に係る第４の態様の防災照明器具（１）では、第３の態様において、接触部材（１５）は、基板（Ｂ１）に生じる応力を抑制することが好ましい。
【００６５】
上述の防災照明器具（１）では、基板（Ｂ１）の不具合が生じ難くなる。
【００６６】
また、実施形態に係る第５の態様の防災照明器具（１）では、第３又は第４の態様において、接触部材（１５）は、弾性を有する衝撃吸収部材であることが好ましい。
【００６７】
上述の防災照明器具（１）では、衝撃吸収部材によって基板（Ｂ１）に加わる厚み方向の力が吸収され、かつ、基板（Ｂ１）は厚み方向に撓みにくくなる。
【００６８】
また、実施形態に係る第６の態様の防災照明器具（１）では、第３又は第４の態様において、接触部材（１５）は、内面（１３１ａ）に形成された凸部であることが好ましい。
【００６９】
上述の防災照明器具（１）では、凸部の先端が基板（Ｂ１）の裏面（Ｂ１２）に当接することで、基板（Ｂ１）は厚み方向に撓みにくくなる。
【００７０】
また、実施形態に係る第７の態様の防災照明器具（１）では、第３又は第４の態様において、接触部材（１５）は、内面（１３１ａ）に形成されて、基板（Ｂ１）が載置されるリブであることが好ましい。
【００７１】
上述の防災照明器具（１）では、リブの先端が基板（Ｂ１）の裏面（Ｂ１２）に当接することで、基板（Ｂ１）は厚み方向に撓みにくくなる。
【００７２】
また、実施形態に係る第８の態様の防災照明器具（１）では、第１乃至第７の態様のいずれか一つにおいて、電路を中継する中継部（ＣＮ１）が、基板（Ｂ１）にさらに実装されることが好ましい。点検スイッチ（７）及び中継部（ＣＮ１）は、基板（Ｂ１）の同一の面（Ｂ１１）に配置される。
【００７３】
上述の防災照明器具（１）は、点検スイッチ（７）と中継部（ＣＮ１）との間の電気経路の長さを短くすることができ、ノイズによる不具合をより抑制することができる。
【００７４】
また、上述の実施形態および変形例は本発明の一例である。このため、本発明は、上述の実施形態および変形例に限定されることはなく、この実施形態および変形例以外であっても、本発明に係る技術的思想を逸脱しない範囲であれば、設計等に応じて種々の変更が可能であることは勿論である。
【符号の説明】
【００７５】
１  防災照明器具
１３  ケース
１３１ａ  内面
１５  接触部材
２１  常用点灯回路
３２  非常用点灯回路
４１  常用光源
５１  非常用光源
６  蓄電池（非常用電源）
７  点検スイッチ
７４  操作部
９  常用電源
Ｂ１  基板
Ｂ１１  表面
Ｂ１２  裏面
Ｘ１  押方向
ＣＮ１  電源コネクタ（中継部）
【図１】
2020123562.tif 000003
【図２】
2020123562.tif 000004
【図３】
2020123562.tif 000005
【図４】
2020123562.tif 000006
【図５】
2020123562.tif 000007
【図６】
2020123562.tif 000008
【図７】
2020123562.tif 000009
【図８】
2020123562.tif 000010